(57)【要約】異常が発生する前の予兆のとして航空機の状況把握を実施でき、操縦士の対処の準備を支援する技術を提供する。航空機運航システム１において、表示機５０は、無線機３０、航法装置１０からの状況を取得し表示を行い、各機器や航法情報の情報から航空機に異常や変化があった旨を表示する。また、表示機５０は、各機器（無線機３０、表示機５０）が出力する異常の範囲の情報以外でもフライト中に各航法情報などを監視し、急な変化、以前の値（平均など）との乖離が発生した場合や他の航法情報から予測されるデータ範囲に入らない場合に操縦士に表示する。
2019054236.tif 000002
【特許請求の範囲】
【請求項１】
航空機において、無線機及び航法装置から取得した情報を表示する表示装置を備える運航システムであって、
前記表示装置は、
前記無線機及び前記航法装置から取得した情報をもとに前記航空機において異常発生を判断する制御部と、
前記制御部による判断結果を表示する表示部と、
前記制御部による判断基準及び取得した前記情報を記録する記憶部とを有し、
前記制御部は、前記無線機または航法装置が出力する異常の範囲の情報以外であっても、急な変化が発生した場合、または以前の値との乖離が発生した場合であって、他の航法情報から予測されるデータ範囲に入らない場合に、前記表示部に注意を喚起する表示を行うよう制御する
ことを特徴とする運行システム。
【請求項２】
前記制御部は、前回航法との所定の範囲以上の乖離のデータと、所定時間以内の急激な変化のデータと、予め設定された所定の航法情報の所定以上の変化のデータとを抽出し、前記抽出されたデータの組合せに応じて、予め定めた組合せに基づく異常情報出力を行い、前記表示部に表示するように制御することを特徴とする請求項１に記載の運行システム。
【請求項３】
前記制御部は、前記表示部に注意を喚起する表示を行う際に、表示すべき事項が複数存在する場合に、優先順をつけて表示することを特徴とする請求項１または２に記載の運行システム。
【発明の詳細な説明】
【技術分野】
【０００１】
本発明は、航空機内の表示機にて航空機の航法情報の異常を表示する運行システムに関する。
【背景技術】
【０００２】
航空機に搭載される表示システムでは、表示機に接続される各無線機、航法装置から出力される情報に関して、各機器が出力するステータス（正常／異常（故障）／電源断など）の情報を表示する。また、各機器からの航法情報（速度情報、高度情報、航空機の進行方向、エンジン回転数など）を、基本的にそのままディスプレイに表示を行っている。【０００３】
また、予め想定されていない異常も解析することができる解析手法についても提案されている（例えば特許文献１参照）。
【先行技術文献】
【特許文献】
【０００４】
【特許文献１】特開２０１４−１４４７１８号公報
【発明の開示】
【発明が解決しようとする課題】
【０００５】
ところで、各機器からの航法情報に誤りや情報漏れなどが発生していても、機器のステータスが正常であれば、そのまま表示していた。また、エンジン回転数など所定範囲に入っていれば正常のものは、通常（フライト直後）と大きく異なっていても所定範囲外になるまでは認識しづらかった。【０００６】
本発明は、このような状況に鑑みなされたもので、上記課題を解決することを目的とする。
【課題を解決するための手段】
【０００７】
本発明は、航空機において、無線機及び航法装置から取得した情報を表示する表示装置を備える運航システムであって、前記表示装置は、前記無線機及び前記航法装置から取得した情報をもとに前記航空機において異常発生を判断する制御部と、前記制御部による判断結果を表示する表示部と、前記制御部による判断基準及び取得した前記情報を記録する記憶部とを有し、前記制御部は、前記無線機または航法装置が出力する異常の範囲の情報以外であっても、急な変化が発生した場合、または以前の値との乖離が発生した場合であって、他の航法情報から予測されるデータ範囲に入らない場合に、前記表示部に注意を喚起する表示を行うよう制御する。
また、前記制御部は、前回航法との所定の範囲以上の乖離のデータと、所定時間以内の急激な変化のデータと、予め設定された所定の航法情報の所定以上の変化のデータとを抽出し、前記抽出されたデータの組合せに応じて、予め定めた組合せに基づく異常情報出力を行い、前記表示部に表示するように制御してもよい。
また、前記制御部は、前記表示部に注意を喚起する表示を行う際に、表示すべき事項が複数存在する場合に、優先順をつけて表示してもよい。
【発明の効果】
【０００８】
本発明によると、各機器が異常と判断していない情報も変化が発生し始めている場合や、通常時やフライト直後と状況が変っている場合に、他の機器のデータとの整合性が取れないことをいち早く操縦士に伝えることができ、異常が発生する前の予兆のとして航空機の状況把握を実施でき、操縦士の対処の準備を支援する技術を実現できる。
【図面の簡単な説明】
【０００９】
【図１】第１の実施形態に係る、航空機運航システムの概略構成図である。
【図２】第１の実施形態に係る、通常変化との比較処理を示すフローチャートである。
【図３】第１の実施形態に係る、急激な変化との比較処理を示すフローチャートである。
【図４】第１の実施形態に係る、他の航法情報から計算される比較処理予測データとの比較処理を示すフローチャートである。
【図５】第１の実施形態に係る、表示処理を示すフローチャートである。
【図６】第１の実施形態に係る、優先度テーブルの例を示す図である。
【図７】第２の実施形態に係る、実習システムの概略構成を示す図である。
【図８】第２の実施形態に係る、模擬データ編集画面の例を示す図である。
【図９】第２の実施形態に係る、測定値変更画面の例を示す図である。
【図１０】第２の実施形態に係る、模擬データファイル設定画面の例を示す図である。
【図１１】第２の実施形態に係る、測定処理のフローチャートである。
【図１２】第２の実施形態に係る、実習結果参照画面の例を示す図である。
【図１３】第２の実施形態に係る、試験結果の例を示す図である。
【図１４】第２の実施形態に係る、模擬設定用ＰＣでの選択確認画面の例を示す図である。
【発明を実施するための形態】
【００１０】
次に、本発明を実施するための形態（以下、単に「実施形態」という）を、図面を参照して具体的に説明する。本実施形態の概要は次の通りである。
【００１１】
＜第１の実施形態＞
図１は、本実施形態に係る航空機運航システム１の概略構成を示す図である。航空機運航システム１は、航空機に搭載され、操縦士に対して航空機の状態を通知する。具体的に、航空機運航システム１は、複数の航法装置１０ａ、１０ｂ、・・・と、複数の無線機３０ａ、３０ｂ、・・・と、表示機５０とを備え、それらは、多重データバス等で構成されるネットワーク９０で接続される。
【００１２】
航法装置１０ａ、１０ｂ、・・・は、航空機の例えば、エンジン、トランスミッション、およびフラップのように、航空機を飛行させるために駆動されるユニットである。これら複数の航法装置１０ａ、１０ｂ、・・・を区別しない場合は、単に「航法装置１０」と称して説明する。
【００１３】
航法装置１０は、その装置のステータス情報や航空機の航法情報について、その機能に対応した情報を表示機５０に出力する。航法情報として、例えば、速度情報、高度情報、航空機の進行方向の情報、エンジン回転数の情報などがある。
【００１４】
無線機３０ａ、３０ｂ、・・・は、それぞれの機器のステータス情報や、設定情報などを表示機５０に出力する。ステータス情報とは、例えば、正常／異常（故障）／電源断などの情報である。なお、これら複数の無線機３０ａ、３０ｂ、・・・を区別しない場合は、単に「無線機３０」と称して説明する。
【００１５】
表示機５０は、表示部５１と、制御部５２と、記憶部５３とを備える。
表示部５１は、航法装置１０から取得したステータス情報及び航法情報、また、無線機３０から取得したステータス情報及び設定情報を表示する。
【００１６】
また、表示部５１は、航法装置１０や無線機３０から取得した情報を、操縦士が視認可能に表示する。また、表示部５１は、それら情報をもとに、異常発生の有無を判断し、判断結果に応じた表示を行う。すなわち、異常が発生していると判断した場合には、表示部５１は、操縦士が異常発生を容易に認識できるように所定の態様で表示出力する。
【００１７】
また、本実施形態の特徴として、異常と判断されない情報であっても、変化が発生し始めている場合、すなわち、トラブルが発生し始めている可能性がある場合や、通常時やフライト直後と状況が変っている場合（例えば、エンジン温度が異常値ではないがいつもより高くなっている場合や、エンジン回転数が異常値に近い値でフライトしている場合など）に、他の機器のデータとの整合性が取れないことをいち早く操縦士に伝える。
【００１８】
エンジン温度、回転数など通常余り変化のないものに関しては、立ち上がりの値や、各時間の平均値を元として、その値より一定の乖離が発生した場合に注意表示を行う。また、短時間での急激な変化などに関しても同様の注意表示を行う。すなわち、急激な変化や他の航法情報から該当航法データ予測範囲を計算し予測範囲から外れた場合などに関しても、その情報を抽出し、表示部５１にアラームとして表示する。また運用や航空機の特性で重要視すべき情報を任意に上位表示させる。
【００１９】
航法情報に関しては、特に航空機の安全な運行に影響を及ぼす可能性があるために、異常値になってからの表示では操縦の迅速な対応が困難である。そこで、上述のように、本当の異常が発生する前の予兆として表示部５１に表示するので、操縦士は、航空機の状況を適切に把握することができ、対処の準備が整えられる。
【００２０】
具体的に、操縦士に通知する情報の抽出処理の対象は次の通りであり、航空機の運用にインパクトのある航法情報が抽出される。
・エンジン回転数情報
・エンジン温度情報
・航空機速度情報
・航空機高度情報
・航空機姿勢情報（ピッチ、ロール）
【００２１】
なお、操縦士は、任意に航法情報の項目を選択して設定し、事前通知の基準値等を調整できる。例えば、操縦士の能力・キャリア等に応じて、基準値等を調整することで、操縦士の能力等に最適化できる。
【００２２】
制御部５２は、航空機の運航に関する各種の制御を行う。例えば、制御部５２は、所定の操作手段で操縦士の操作を受け付け、その操作や航法装置１０、無線機３０の出力値を参照して、制御内容を決定し、対応する機器（航法装置１０や無線機３０等）に出力する。
【００２３】
記憶部５３は、ハードディスクドライブ等の記憶媒体を有し、航法装置１０や無線機３０から取得した情報を記録する。
【００２４】
表示機５０での各機器の情報や航空機の変化を事前に察知するために従来の異常と設定している条件を超した異常値のみの表示ではなく、航空機の情報として通常あまり変化のないものなどに関しては、フライト直後のデータとの差異や、フライト中の一定時間内での平均値を基にして現状値が乖離していないかを判断する。
【００２５】
図２は、通常の変化との比較処理の例を示すフローチャートである。この処理では、抽出した航法情報についてデータ取得とフライト直後の一定時間の平均とその後の一定時間ごとの平均値を更新して、現在取得している航法情報との比較を実施して、乖離（５％以上の差異など）が発生していないかの判定を実施し、乖離していれば表示を実施する。
【００２６】
なお、乖離判定の値は任意に設定できる。また、過去情報（前回フライト）の平均の値を保存し、比較を実施することで経年劣化などによる異常を推定できるようにする。
【００２７】
具体的な処理のフローを説明する。表示部５１は、航法装置１０や無線機３０からステータス情報や航法情報等のデータを取得し（Ｓ１０）、フライト直後であるか否かを判断する（Ｓ１２）。具体的には、フライト時間を計測し、例えば、フライト時間が３０分未満であれば、フライト直後であると判断する。
【００２８】
フライト直後でなければ（Ｓ１２のＮ）、表示部５１は、平均データと取得データとの比較を行う（Ｓ１４）。平均データは、記憶部５３に記録されている。
【００２９】
比較の結果、乖離があれば（Ｓ１６のＹ）、表示部５１は、図５で後述する表示処理を行い、操縦士に対して異常発生の予兆を知らせる（Ｓ１８）。乖離がない場合（Ｓ１６のＮ）、または、上記の表示処理（Ｓ１８）の後、表示部５１は、取得データを、平均値のデータに反映させる演算を行い記憶部５３に格納する（Ｓ２０）。
【００３０】
つづいて、表示部５１は、急激な変化との比較処理を行う（Ｓ２２）。詳細は、図３で後述するが、表示部５１は、抽出した航法情報について、取得データを前回値と比較して急激な変化（例えば、２０％以上の差異など）が発生していないかの判定を実施し変化があれば表示を実施する。なお、急激な変化判定の値は任意に設定できる。
【００３１】
つぎに、表示部５１は、予測データとの比較処理を行う（Ｓ２４）。詳細は、図４で後述するが、表示部５１は、他の航法情報から該当航法データ範囲との比較処理を行い、抽出した航法情報についてデータ取得を他の複数の航法データから予測されるデータ範囲から外れていないかの判定を実施し変化があれば表示を実施する。なお、予測範囲を計算する航法情報の指定は任意に設定できる。
【００３２】
一方、フライト直後である場合（Ｓ１２のＹ）、表示部５１は、フライト直後平均データと取得データとを比較する（Ｓ２６）。フライト直後平均データは、記憶部５３に記録されている。
【００３３】
比較の結果、乖離があれば（Ｓ２８のＹ）、表示部５１は、図５で後述する表示処理を行い、操縦士に対して異常発生の予兆を知らせる（Ｓ３０）。乖離がない場合（Ｓ２８のＮ）、または、上記の表示処理（Ｓ３０）の後、表示部５１は、取得データを、フライト直後平均データに反映させる演算を行い記憶部５３に格納する（Ｓ３２）。
【００３４】
そして、予測データとの比較処理後（Ｓ２４）または、フライト直後平均データへの反映処理後（Ｓ３２）、表示部５１は、フライト終了となったか否かを判断し（Ｓ３４）、フライト終了であれば（Ｓ３４のＹ）、平均データ及びフライト直後平均データを記憶部５３に記録し（Ｓ３６）、終了する。フライト終了でなければ（Ｓ３４のＮ）、データ取得処理（Ｓ１０）に戻る。
【００３５】
図３は、急激な変化との比較処理（Ｓ２２）の詳細を示すフローチャートである。当該処理では、まず、表示部５１は、前回取得データと今回の取得データとを比較する（Ｓ４０）。
【００３６】
比較の結果、乖離有りの場合（Ｓ４２のＹ）、異常の兆候有りとして図５で示す表示処理を行う（Ｓ４４）。表示処理後（Ｓ４４）または乖離なしの場合（Ｓ４２のＮ）、取得データを前回取得データとして演算し記憶部５３に格納し（Ｓ４６）、当該フローの処理を終了して上述の予測データとの比較処理（Ｓ２４）に移行する。
【００３７】
図４は予測データとの比較処理の詳細を示すフローチャートである。当該処理では、まず、表示部５１は、予測範囲計算に使用する航法情報を取得する（Ｓ５０）。どの航法情報を取得するかは、予め定められており、ここでは、例えば、航法装置１０ａの航法情報Ａを用いる。
【００３８】
つぎに、表示部５１は、航法情報Ａを用いて、予測データ範囲の計算を行う（Ｓ５２）。取得データが予測範囲外の場合（Ｓ５４のＮ）、異常の兆候有りとして図５で示す表示処理を行う（Ｓ５６）。表示処理後（Ｓ５６）または予測範囲内の場合（Ｓ５４のＹ）、当該フローの処理を終了して図２で上述のフライト終了の判断処理（Ｓ３４）に移行する。
【００３９】
図５は表示処理（図２のＳ１８、Ｓ３０、図３のＳ４４、図４のＳ５６）の詳細を示すフローチャートである。
【００４０】
当該処理では、表示部５１は、異常の兆候有りと判断した取得データに関連づけられている航法情報、すなわち表示する航法情報が表示済みであるか確認する（Ｓ６０）。表示済みであれば（Ｓ６２のＹ）、ここでは特に処理を行わず終了する。未表示であれば（Ｓ６２のＮ）、表示部５１は、現状表示している情報との優先度の比較を行う（Ｓ６４）。
【００４１】
図６は、航法情報の優先度を示したテーブルである。例えば、優先度１として航法情報Ａ（航空機高度）、優先度２として航法情報Ｂ（航空機速度）と言った順でとなっている。表示部５１は、当該テーブルに記載されている優先度順で航法情報を表示する（Ｓ６６）。なお、番号を付して表示する等をすることで、優先度順が明確に認識できればよく、必ずしも優先度順に並べることに限る趣旨ではない。
【００４２】
上述の図２や、図３、図４の処理で取得データに異常の兆候は現れたときに、このような表示処理を行うことで、対象となる項目を表示することができるため、事前にそのことを操縦士に認識させることができる。なお、抽出項目が多い場合には、表示エリアを判断して表示の優先度を任意で設定できるものとする。
【００４３】
以上、本実施形態によると、航空機の航空機運航システム１において、各無線機３０や航法装置１０からの状況を取得し表示を行える表示機５０にて、無線機３０や航法装置１０の情報から航空機に異常や変化があった旨を表示することができる。特に、各機器が出力する異常の範囲の情報以外でもフライト中に各航法情報などを監視し、急な変化、以前の値（平均など）との乖離が発生した場合や他の航法情報から予測されるデータ範囲に入らない場合に操縦士に、タイムリーに表示等で通知できる。
【００４４】
また、各機器の航法情報監視において、（ａ）前回航法（従来のフライト）との所定の範囲以上の乖離（例えば５％）以上のデータ抽出、（ｂ）所定時間以内の急激な変化（例えば２０％）以上のデータ抽出、（ｃ）予め設定された所定の航法情報の所定以上の変化のデータ抽出等の組合せに応じて、予め定めた組合せに基づく異常情報出力を行うことができる。
【００４５】
＜第２の実施形態＞
本実施形態では、第１の実施形態の無線機３０や航法装置１０等の被試験器の性能を自動測定する試験装置について説明する。ここでは、そのような試験装置において、実物の被試験器や接続ケーブル、測定器等がない状態でも、試験装置にて擬似的に試験が行え、試験装置の使用方法を学習可能とする実習機能付き試験技術（試験装置及び試験方法）装置について説明する。
【００４６】
特に、被試験器の性能を自動または手動測定する試験装置であって、教官が設定した内容に従いモジュールの交換方法を学習する実習機能を備え、交換モジュールを選択するに至った過程を確認することができる。
【００４７】
従来の試験装置では、特開２００８−１７５６８１号公報に示すように、実習者は試験用ＰＣの指示に従い、試験用ＰＣの操作を行うことで試験装置の使用方法について実習を行っている。実習結果は、保存された試験結果と備考欄に記載された内容のみで、後から確認した際に、どのような経緯でこの試験結果になったのかを知ることができなかった。そこで、以下で説明する実施形態では、保存された試験結果に至る過程を確認することが可能となる実習機能を実現する。
【００４８】
図７は、本実施形態の実習システム１０１の概略構成を示す図である。図示のように、実習システム１０１は、ネットワーク（ここではＬＡＮ１０２）で接続された模擬データ設定用ＰＣ１１０と、試験用ＰＣ１２０とを備える。模擬データ設定用ＰＣ１１０は、教官用ＰＣとして機能する。また、試験用ＰＣ１２０は、実習用ＰＣとして機能する。
【００４９】
試験用ＰＣ１２０には、測定経路切換器１５０を介して被試験器１７０が接続されている。測定経路切換器１５０と試験用ＰＣ１２０とは、ＲＳ−２３２Ｃ等の所定の接続ＩＦ１０３で接続されている。汎用測定器１８０と試験用ＰＣ１２０とは、ＧＰ−ＩＢやＲＳ−２３２Ｃ等の所定の接続ＩＦ１０４で接続されている。測定経路切換器１５０と汎用測定器１８０とは、試験信号の送受信可能に接続されている。同様に、測定経路切換器１５０と被試験器１７０とは試験信号の送受信可能に接続されている。
【００５０】
模擬データ設定用ＰＣ１１０は、試験用ＰＣ１２０のモード設定（通常試験、模擬試験）、試験データの模擬値の設定機能と試験用ＰＣ１２０の試験結果を参照する機能とを有する。
【００５１】
試験用ＰＣ１２０は、試験用のアプリケーションを実行可能に保持しており、試験実施時には、測定経路切換器１５０を介して被試験器１７０と接続され、所定の試験を実行する。
【００５２】
また、試験用ＰＣ１２０は、過去に実際に行われた測定において、汎用測定器１８０が使用された時の試験結果として、実際の被試験器１７０での試験結果の各種の実測試験データが当該端末内の記憶装置に記憶・保存されている。試験用ＰＣ１２０は、測定経路切換器１５０及び汎用測定器１８０を制御する。具体的には、試験用ＰＣ１２０は、測定経路切換器１５０に対して、測定経路切換信号を送信し、試験内容に応じて使用する汎用測定器１８０に試験信号を入力させるように測定経路を切り替える。
【００５３】
一方、模擬データ設定用ＰＣ１１０は、試験用ＰＣ１２０に保存されている実測試験データをＬＡＮ１０２経由で、一旦、模擬データ設定用ＰＣ１１０内に有するメモリに取り込んで記憶させる。模擬データ設定用ＰＣ１１０は、データ編集用の操作画面を有しており、各測定項目に対して、指導教官が編集作業を行い、訓練用の模擬試験データに仕立てることが可能である。
【００５４】
また、模擬データ設定用ＰＣ１１０では、この端末にて過去に訓練用として作成・登録し、当該端末のメモリに記憶・保存しておいた模擬試験データのファイルにより、これを読み出してのデータ編集も可能である。
【００５５】
更に、模擬データ設定用ＰＣ１１０では、試験用ＰＣ１２０および模擬データ設定用ＰＣ１１０のメモリに記憶・保存された過去データを用いず、全項目について、今回、新たな模擬試験データとして作成することも可能である。
【００５６】
測定経路切換器１５０は、低周波信号切換器１５１と、高周波信号切換器１５２と、ディスクリート信号設定部１５３とを備える。試験用ＰＣ１２０にて選択された試験項目に応じて、試験用ＰＣ１２０から測定経路切換器１５０に対して測定経路切換信号が出力される。
【００５７】
測定経路切換器１５０では、低周波信号切換器１５１と、高周波信号切換器１５２と、ディスクリート信号設定部１５３によって、低周波信号、高周波信号の接続経路、ＣＭＯＳ又はＴＴＬレベルでのディスクリート信号の経路設定が行われる。
【００５８】
試験用ＰＣ１２０から各種の汎用測定器１８０に対して測定器設定信号が出力され、各種の汎用測定器１８０に対して周波数などの測定条件の設定が行われる。
【００５９】
測定経路切換器１５０および各種の汎用測定器１８０の設定完了後、測定経路切換器１５０に接続された被試験器１７０に対して、汎用測定器１８０のうち信号発生器から出力された低周波および高周波などの試験信号が入力され、性能測定試験が開始される。
【００６０】
次に、被試験器１７０は、入力された信号に対応して、送信出力又は受信出力などを測定経路切換器１５０を経由してスペクトラム・アナライザなどの汎用測定器１８０に、被試験器データとして転送する。
【００６１】
送信出力又は受信出力などの測定のために、測定系として割り付けられた汎用測定器１８０は、所定の測定を行い、その測定結果の出力を、測定結果のデータ（測定データ）として試験用ＰＣ１２０に転送する。
【００６２】
測定データを取得した試験用ＰＣ１２０は、要求基準との差値の算出およびその良否判定などを行って、その結果を試験結果としてのデータの一覧表に編集し、これを試験用ＰＣ１２０の表示部に表示し、かつ、測定データとしてメモリに記憶する。これらの試験結果は、試験が行われる都度のデータ毎に日時管理されてメモリに記憶・保存される。
【００６３】
試験用ＰＣ１２０に実測試験データとして保存されたデータは、ＬＡＮ接続された模擬データ設定用ＰＣ１１０の転送要求に従い出力する。
【００６４】
つぎに、本実施形態で特徴的な処理の一つである模擬データ設定用ＰＣ１１０における模擬データ編集を説明する。図８は模擬データ編集画面Ａ１の例である。
【００６５】
模擬データ編集画面Ａ１では、ユーザは、項目選択タブＡ２０に含まれる電源投入試験タブＡ２１、自己診断タブＡ２２、機能確認タブＡ２３から所望のタブを選択する。ここでは、機能確認タブＡ２３が選択されている。
【００６６】
機能確認タブＡ２３の画面では、各種ファイル操作に割りづけられたファイル操作領域Ａ３０において、試験模擬データファイル選択領域Ａ３１で、所望の試験模擬データを指定する。ここでは、「ＤＡＴＡ１」が指定されている。
【００６７】
データ詳細表示領域Ａ４０では、測定項目領域Ａ４１、要求基準領域Ａ４２、今回測定値領域Ａ４３、判定領域Ａ４４が設けられている。
【００６８】
測定項目領域Ａ４１には、試験模擬データに含まれている測定項目の一覧が示されている。要求基準領域Ａ４２には、それら測定項目のそれぞれの要求基準が示されている。今回測定値領域Ａ４３には、試験模擬データファイル選択で選択したファイルでの測定値が示されている。判定領域Ａ４４では、それぞれの測定値の良否判定が示されている。
【００６９】
画面下部のＳＲＡ名称領域Ａ７０には、試験結果が“否”の時の故障該当モジュールが、その可能性の順番と共に示されている。ここでは、「Ａ３  信号処理部」が順位「１」の故障該当モジュールとして示されている。
【００７０】
模擬データ設定用ＰＣ１１０では、試験用ＰＣ１２０にて測定した試験結果や、模擬データ設定用ＰＣ１１０にて作成し保存した模擬試験データファイルからもデータ編集を可能とする。
【００７１】
今回測定値領域Ａ４３の所望のセル（測定値欄）を操作することで、測定値を任意に変更できる。すなわち、模擬での測定値の設定は、回測定値領域Ａ４３の任意の試験項目行の測定値欄を選択することにより、図９に示す測定値変更画面Ｂ１が表示される。測定値変更画面Ｂ１では、要求基準値領域Ｂ１１、測定値領域Ｂ１２、変更ボタンＢ１３、中止ボタンＢ１４が設けられている。
【００７２】
測定値領域Ｂ１２で測定値を任意に変更可能になっており、変更ボタンＢ１３を押下して測定値変更画面Ｂ１を閉じると、設定した値が要求基準を満たしているか否かを自動で判断し、判定領域Ａ４４に良否を表示、もしくは、判定領域Ａ４４をクリック毎に良好、不良を交互に切り換えると共に、良好、不良時のデフォルトデータで測定値領域Ｂ１２の値を変更可能となっている。
【００７３】
また、ＳＲＡ名称領域Ａ７０に示す通り、試験項目毎に、当該試験項目が不良だった場合に故障原因と推測されるモジュール部位を表示することにより、モジュール交換させたい試験項目を考慮した不良箇所設定を可能となっている。
【００７４】
図１０は模擬データファイル設定画面Ｃ１を示す。ここでは、設定する計算機名称領域Ｃ１１、実機モード設定領域Ｃ１２、模擬データファイル履歴領域Ｃ１３、設定ボタンＣ１４、キャンセルボタンＣ１５が設けられている。
【００７５】
試験用ＰＣ１２０は、通常、被試験器１７０を接続し、汎用測定器１８０等を使用して測定が行われる。しかし、模擬データ設定用ＰＣ１１０を用いて模擬データファイル設定画面Ｃ１を表示させ、設定ボタン１４を押下して、ＬＡＮ１０２を介し試験用ＰＣ１２０に模擬データを使用して試験を行うことを通知することで、模擬試験として測定が行われる。
【００７６】
図１１は、測定処理のフローチャートである。まず、測定処理では、模擬データ設定用ＰＣ１１０は、模擬モードか否かを判断する（Ｓ１１０）。通常は（Ｓ１１０のＮ）、測定経路切換器１５０により該当試験項目の測定経路設定を行い、ＧＰ−ＩＢ等によって汎用測定器１８０を制御し（Ｓ１１２）、実在の装置を使用して測定を行った測定値を取得する（Ｓ１１４）。
【００７７】
模擬モード時は（Ｓ１１０のＹ）、模擬データ設定用ＰＣ１１０は、該当試験項目の試験結果（測定値）を試験用ＰＣ１２０から取得する（Ｓ１１６）。
【００７８】
つぎに、模擬データ設定用ＰＣ１１０は、測定値が要求基準内であるか否かを判断し（Ｓ１１８）、要求基準内であれば（Ｓ１１８のＹ）、「良好」と判定し（Ｓ１２０）、要求基準外であれば（Ｓ１１８のＮ）、「不良」と判定する（Ｓ１２２）。判定後、模擬データ設定用ＰＣ１１０は、測定値と良否判定を表示する（Ｓ１２４）。
【００７９】
このように、模擬データから測定値を取得する他は同一の処理を行うことにより、試験装置の操作者は模擬モードでも実機を使用した場合と同等な操作が可能となる。また、測定結果も実機と同様に保存することが可能である。
【００８０】
図１２は、実習結果参照画面Ｄ１の例である。模擬データ設定用ＰＣ１１０ではＬＡＮ１０２を介して測定結果を参照することができ、実習結果参照画面Ｄ１に示すように、測定結果の詳細を表示させることができる。
【００８１】
従来の実習装置では、模擬データ設定用ＰＣ１１０で測定結果を参照することはできるが、どのような選択を行い、被試験器１７０の故障モジュールの特定を行ったかを確認することはできなかった。
【００８２】
試験装置で試験を行う際、試験手順を記載した試験プログラムに従い試験を行っている。試験プログラムは、試験項目毎に実行する試験プログラムが決まっており、試験プログラムには行番号が付与されている為、試験プログラムのどの行でどのような選択を行ったかを保存することができれば後から確認することが可能になる。
【００８３】
そこで、試験用ＰＣ１２０で試験結果を保存する際、図１３に示すように、試験結果と一緒に試験プログラムの行番号と選択を行った内容を保存できるようにする。保存できる内容としては、選択内容だけでなくキー入力した内容や試験中止などの情報であってもよい。また、一つの試験で保存できる内容は１つに限らず複数の内容を保存できるものとする。
【００８４】
図示のように、操作内容欄では、試験パラメータの行とその選択内容が示される。複数ある場合は、「／」で区切られる。例えば上から３番目の測定値に関しては、二つの操作があり、最初の操作は、「試験パラメータ：２３行  操作内容：ＹＥＳ」であり、次の操作は「試験パラメータ：４５行  操作内容：ＹＥＳ」となっている。
【００８５】
模擬データ設定用ＰＣ１１０では、実習結果参照画面Ｄ１で試験結果を選択して、そのとき表示される「再生」ボタンを押すことで、試験用ＰＣ１２０と同様の画面を表示し試験結果の選択内容を読込み、選択した画面を再生表示することにより、どの様な選択を行い故障モジュールの特定を行ったのか確認することが可能になる。
【００８６】
図１４は模擬データ設定用ＰＣ１１０での選択確認画面例であり、再生表示を確認できる。ここでは、実習結果参照画面Ｄ１上に、確認画面（機能確認試験画面）Ｅ１、確認画面（電源ランプ点灯確認画面）Ｆ１の順で表示され、表示順に重なっていくことが分かる。
【００８７】
このように、被試験器１７０がない状態でも、試験装置の操作方法や、被試験器１７０の故障探求方法を実習でき、実機では発生しにくい事象についても実習が可能となるため、多くの事例の操作を擬似的に学習できる。
【産業上の利用可能性】
【００８８】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。この出願は、２０１７年９月１５日に出願された日本出願特願２０１７−１７７４８０を基礎として優先権の利益を主張するものであり、その開示の全てを引用によってここに取り込む。
【符号の説明】
【００８９】
１  航空機運航システム１０、１０ａ、１０ｂ、１０ｃ、１０ｄ  航法装置３０、３０ａ、３０ｂ、３０ｃ、３０ｄ  無線機５０  表示機５１  表示部５２  制御部５３  記憶部９０  ネットワーク１０１  実習システム１０２  ＬＡＮ１０３、１０４  接続ＩＦ１１０  模擬データ設定用ＰＣ１２０  試験用ＰＣ１５０  測定経路切換器１５１  低周波信号切換器１５２  高周波信号切換器１５３  ディスクリート信号設定部１７０  被試験器１８０  汎用測定器
【図１】
2019054236.tif 000003
【図２】
2019054236.tif 000004
【図３】
2019054236.tif 000005
【図４】
2019054236.tif 000006
【図５】
2019054236.tif 000007
【図６】
2019054236.tif 000008
【図７】
2019054236.tif 000009
【図８】
2019054236.tif 000010
【図９】
2019054236.tif 000011
【図１０】
2019054236.tif 000012
【図１１】
2019054236.tif 000013
【図１２】
2019054236.tif 000014
【図１３】
2019054236.tif 000015
【図１４】
2019054236.tif 000016
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
被試験機に対する数値化された試験結果を含む実測試験データと、当該実測試験データと対応し教官により作成された模擬データとを用い、前記試験結果に対する良否判定を行うことによって、実習者に対して前記被試験機についての学習をさせる実習システムであって、
試験用のアプリケーションを実行することによって前記実測試験データを入手し、記憶する試験用コンピュータと、
当該試験用コンピュータから入手した前記実測試験データにおける前記試験結果を編集させた前記模擬データを作成、記憶する模擬データ設定用コンピュータと、
を具備し、
通常モードにおいては、前記実測試験データにおける前記試験結果に対する前記良否判定を行い、
模擬モードにおいては、前記模擬データにおける前記試験結果に対する前記良否判定を行うことを特徴とする実習システム。
【請求項２】
前記試験用コンピュータは、前記試験結果を入手した際の前記アプリケーションの設定を前記実測試験データに含めて記憶し、
前記模擬データ設定用コンピュータは、前記実測試験データにおける前記試験結果を編集させる際に、対応する前記アプリケーションの設定を表示させることを特徴とする請求項１に記載の実習システム。
【請求項３】
前記模擬データ設定用コンピュータは、前記試験結果に対応する良否判定が否の場合において、前記被試験機における異常が発生したモジュールの候補を表示させることを特徴とする請求項１又は２に記載の実習システム。
【請求項４】
前記被試験機は、航空機の運航に関わる装置であることを特徴とする請求項１から請求項３までのいずれか１項に記載の実習システム。
【手続補正３】
【補正対象書類名】明細書
【補正対象項目名】０００１
【補正方法】変更
【補正の内容】
【０００１】
本発明は、被試験機の操作や良否判定に関する事項を実習者に学習させる実習システムに関する。
【手続補正４】
【補正対象書類名】明細書
【補正対象項目名】０００７
【補正方法】変更
【補正の内容】
【０００７】
本発明は、被試験機に対する数値化された試験結果を含む実測試験データと、当該実測試験データと対応し教官により作成された模擬データとを用い、前記試験結果に対する良否判定を行うことによって、実習者に対して前記被試験機についての学習をさせる実習システムであって、試験用のアプリケーションを実行することによって前記実測試験データを入手し、記憶する試験用コンピュータと、当該試験用コンピュータから入手した前記実測試験データにおける前記試験結果を編集させた前記模擬データを作成、記憶する模擬データ設定用コンピュータと、を具備し、通常モードにおいては、前記実測試験データにおける前記試験結果に対する前記良否判定を行い、模擬モードにおいては、前記模擬データにおける前記試験結果に対する前記良否判定を行う。
また、前記試験用コンピュータは、前記試験結果を入手した際の前記アプリケーションの設定を前記実測試験データに含めて記憶し、前記模擬データ設定用コンピュータは、前記実測試験データにおける前記試験結果を編集させる際に、対応する前記アプリケーションの設定を表示させる。
また、  前記模擬データ設定用コンピュータは、前記試験結果に対応する良否判定が否の場合において、前記被試験機における異常が発生したモジュールの候補を表示させる。
また、前記被試験機は、航空機の運航に関わる装置である。
【手続補正５】
【補正対象書類名】明細書
【補正対象項目名】０００８
【補正方法】変更
【補正の内容】
【０００８】
本発明によると、実機では発生しにくい事象についても実習が可能となるため、より適正に機器の異常を通知することができる。
【国際調査報告】
2019054236.tif 000017
2019054236.tif 000018
2019054236.tif 000019
2019054236.tif 000020